(57)【要約】【課題】携帯電子機器に保護フィルムを取り付けた場合に、携帯電子機器の文字や図形のロゴを活用して、自分の嗜好にあった装飾を模様替え容易な状態で簡便に楽しむことができる携帯電子機器用保護フィルムを提供する。【解決手段】携帯電子機器の裏面乃至側面の外面形状に沿った形状の保護フィルムが透光性素材からなり、携帯電子機器の裏面を覆う保護フィルムの外表面あるいは内面に図形あるいは文字が設けられ、保護フィルムを前記携帯電子機器に取り付けた場合に、携帯電子機器のロゴマークおよびロゴ文字が透視でき、ロゴマークおよびロゴ文字の少なくとも一方と一体となって一つのモチーフを醸し出す。【選択図】図１
0003170253.tif 000002
【実用新案登録請求の範囲】
【請求項１】
携帯電子機器の裏面乃至側面の外面形状を覆う保護フィルムにおいて、該保護フィルムが透光性素材からなり、携帯電子機器の裏面を覆う前記保護フィルムの外表面側あるいは内面側に図形あるいは文字が付され、前記保護フィルムを前記携帯電子機器に取り付けた場合に、前記携帯電子機器のロゴマークおよびロゴ文字が透視でき、ロゴマークおよびロゴ文字の少なくとも一方と一体となって一つのモチーフを醸し出せるものであることを特徴とする携帯電子機器用保護フィルム。
【請求項２】
前記保護フィルムの図形あるいは文字は、ミラー加工印刷により前記保護フィルムの外表面あるいは内面に設けられたことを特徴とする請求項１に記載の携帯電子機器用保護フィルム。
【請求項３】
前記保護フィルムの図形は、前記携帯電子機器のロゴマークを運搬する車両、前記携帯電子機器のロゴマークを屋上看板のコンテンツとした建物、前記携帯電子機器のロゴマークを用いたキーボードのボタン、前記携帯電子機器のロゴマークの容器や包装、前記携帯電子機器のロゴマークと接する動物や植物、のいずれかである請求項１に記載の携帯電子機器用保護フィルム。
【考案の詳細な説明】
【技術分野】
【０００１】
本考案は、携帯電話、携帯コンピュータ端末、携帯ゲーム機、電子辞書、電子手帳などの携帯電子機器用保護フィルムに関するものである。
【背景技術】
【０００２】
従来から、携帯電子機器の表面の傷付き保護を目的として、機器本体を嵌め込み本体と一体化できるケースが存在する。かかるケースには、外面側から目視できる模様が付されているものもある。ケースに模様が付されることにより携帯電子機器の装飾をユーザの好みにあわせて自在に変化できるようになる。
すなわち、ケースに模様を施すことで、携帯電子機器の装飾を模様替え容易な状態で簡便に楽しむことができるようにすると共に、携帯電子機器表面の傷付き保護を可能にする（例えば、特許文献１を参照。）。
【０００３】
一方、例えば、携帯電話で有名なｉＰｈｏｎｅ（登録商標）に代表されるように携帯電子機器の名称ロゴや、アップル社のブランドであるリンゴの図柄に代表されるような図形ロゴが存在する。かかる人気があるブランドの携帯電子機器のユーザは、携帯電子機器にケースを取り付けることによって、ロゴが隠されることから、ケースの装着を拒むユーザが多く存在する。
そこで、ロゴがケースによって隠されないようにするために、透明素材のケースや透明素材の保護フィルムが存在する。
【先行技術文献】
【特許文献】
【０００４】
【特許文献１】実用新案登録第３１０６２７９号公報
【考案の概要】
【考案が解決しようとする課題】
【０００５】
携帯電子機器のユーザは、様々な模様を施したケースや保護フィルムを携帯電子機器に取り付けて、機器本体の装飾を簡便に楽しみたいという要求がある。一方で、携帯電子機器の文字や図形のロゴを隠したくないために、ケースや保護フィルムを付けることを拒むユーザが存在する。
上記状況に鑑みて、本考案は、携帯電子機器に保護フィルムを取り付けた場合に、携帯電子機器の文字や図形のロゴを活用して、自分の嗜好にあった装飾を模様替え容易な状態で簡便に楽しむことができる携帯電子機器用保護フィルムを提供することを目的とする。
【課題を解決するための手段】
【０００６】
上記目的を達成すべく、本考案の携帯電子機器用保護フィルムは、携帯電子機器の裏面乃至側面の外面形状を覆う保護フィルムにおいて、該保護フィルムが透光性素材からなり、携帯電子機器の裏面を覆う保護フィルムの外表面側あるいは内面側に図形あるいは文字が付され、保護フィルムを前記携帯電子機器に取り付けた場合に、携帯電子機器のロゴマークおよびロゴ文字が透視でき、ロゴマークおよびロゴ文字の少なくとも一方と一体となって一つのモチーフを醸し出せるものである。
【０００７】
かかる構成によれば、携帯電子機器の文字や図形のロゴを活用して、自分の嗜好にあった装飾を模様替え容易な状態で簡便に楽しむことができる。
なお、携帯電子機器の裏面を覆う保護フィルムの内面側に図形あるいは文字が付される方が、付された図形や文字の傷付き防止を図り易くできる。
【０００８】
ここで、上記の保護フィルムの図形あるいは文字は、ミラー加工印刷により保護フィルムの外表面あるいは内面に設けられたことが好ましい。
携帯電子機器の文字や図形のロゴがミラー加工印刷の場合が多く、保護フィルムの図形あるいは文字も同じミラー加工印刷とすることにより、携帯電子機器の文字や図形のロゴと、保護フィルムの図形や文字とが、一体となって一つのモチーフを醸し出し易くできる。
【０００９】
また、上記の保護フィルムの図形は、携帯電子機器のロゴマークを運搬する車両、携帯電子機器のロゴマークを屋上看板のコンテンツとした建物、携帯電子機器のロゴマークを用いたキーボードのボタン、携帯電子機器のロゴマークの容器や包装、携帯電子機器のロゴマークと接する動物や植物、のいずれかであることが好ましい。
【考案の効果】
【００１０】
本考案によれば、携帯電子機器に保護フィルムを取り付けた場合に、携帯電子機器の文字や図形のロゴを活用して、自分の嗜好にあった装飾を模様替え容易な状態で簡便に楽しむことができるといった効果を有する。
【図面の簡単な説明】
【００１１】
【図１】本考案の携帯電子機器用保護フィルムと携帯電子機器の説明斜視図
【図２】携帯電子機器の裏側表面にあるロゴの説明図
【図３】実施例１の携帯電子機器用保護フィルムに施された装飾の説明図
【図４】実施例２の携帯電子機器用保護フィルムに施された装飾の説明図
【図５】実施例３の携帯電子機器用保護フィルムに施された装飾の説明図
【図６】実施例４の携帯電子機器用保護フィルムに施された装飾の説明図
【図７】実施例５の携帯電子機器用保護フィルムに施された装飾の説明図
【図８】実施例６の携帯電子機器用保護フィルムに施された装飾の説明図
【考案を実施するための最良の形態】
【００１２】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１３】
図１は、本考案の携帯電子機器用保護フィルムと携帯電子機器の説明斜視図である。携帯電子機器２は前面がタッチパネル方式の携帯電話である。保護フィルム１は、携帯電子機器２の背面から側面にかけた部分を保護する保護フィルムである。また、保護フィルム１の背面１３には携帯電子機器２のカメラのレンズ位置に対応したカメラレンズ用孔１４が設けられている。また、保護フィルム１には携帯電子機器２の操作スイッチ位置に対応した操作スイッチ用孔１５が設けられている。保護フィルム１の背面１３には、シルバー色のミラー印刷加工によって模様１１が施されている。
ここで、保護フィルムは、ハードコート層を有する樹脂フィルムからなるハードコートフィルムに粘着剤層が設けられた構成のものを好ましく使用できる。保護フィルムは、例えば、少なくとも総厚さが１５０μｍ以下であることが好ましい。
【００１４】
図２は、携帯電子機器２の裏側表面にあるロゴを示している。図２の例では、携帯電子機器２の裏側表面に、中央より少し上に図柄のロゴマーク２１と、中央より下の方に文字のＬＯＧＯ２２が、シルバー色のミラー印刷加工によって付されている。２３は携帯電子機器２のカメラレンズである。
【００１５】
図３は、実施例１の携帯電子機器用保護フィルムに施された装飾を示している。図３（１）は、保護フィルム１に施された模様である。図３（２）は、携帯電子機器２の本体に保護フィルムを取り付けて、保護フィルムを見た様子を示している。保護フィルム１に施された網目の半球籠状の３つの模様（３１ａ〜３１ｃ）と、ロゴマーク２１が重なると、ロゴマーク２１が半球籠状の装飾をまとったように見える。ロゴマーク２１の一部にまるで服装を着せたような感じをユーザに与えることができる。すなわち、携帯電子機器のロゴマークの容器や包装の図柄を、所定の位置に、また所定の形状や大きさで、保護フィルムに施すことにより、ユーザに対して、ロゴマークに服を着せるといったモチーフを醸し出している。
【実施例２】
【００１６】
図４は、実施例２の携帯電子機器用保護フィルムに施された装飾を示している。図４（１）は、保護フィルム１に施された模様である。図４（２）は、携帯電子機器２の本体に保護フィルムを取り付けて、保護フィルムを見た様子を示している。保護フィルム１に施された鳥の模様３２と、ロゴマーク２１が重なると、ロゴマーク２１が鳥のくちばしに突かれているように見える。すなわち、携帯電子機器のロゴマークと接する動物や植物の図柄を、所定の位置に、また所定の形状や大きさで、保護フィルムに施すことにより、ユーザに対して、ロゴマークと動物や植物が共存しているといったモチーフを醸し出している。
【実施例３】
【００１７】
図５は、実施例３の携帯電子機器用保護フィルムに施された装飾を示している。図５（１）は、保護フィルム１に施された模様である。図５（２）は、携帯電子機器２の本体に保護フィルムを取り付けて、保護フィルムを見た様子を示している。保護フィルム１に施されたコンピュータのキーボードのボタンの模様３３と、ロゴマーク２１が重なると、ロゴマーク２１がキーボードの入力キーの表面デザインのように見える。すなわち、キーボードのボタンの図柄を、所定の位置に、また所定の形状や大きさで、保護フィルムに施すことにより、ユーザに対して、ロゴマークを用いたキーボードのボタンといったモチーフを醸し出している。
【実施例４】
【００１８】
図６は、実施例４の携帯電子機器用保護フィルムに施された装飾を示している。図６（１）は、保護フィルム１に施された模様である。図６（２）は、携帯電子機器２の本体に保護フィルムを取り付けて、保護フィルムを見た様子を示している。保護フィルム１に施された皿と左右にあるフォークとスプーンの模様３４と、ロゴマーク２１が重なると、ロゴマーク２１が皿にのって食卓に現れているように見える。すなわち、皿とフォークとスプーンの図柄を、所定の位置に、また所定の形状や大きさで、保護フィルムに施すことにより、ユーザに対して、ロゴマークを食するといったモチーフを醸し出している。
【実施例５】
【００１９】
図７は、実施例５の携帯電子機器用保護フィルムに施された装飾を示している。図７（１）は、保護フィルム１に施された模様である。図７（２）は、携帯電子機器２の本体に保護フィルムを取り付けて、保護フィルムを見た様子を示している。保護フィルム１に施された乗用車やトラックの模様３５と、ロゴマーク２１が重なると、ロゴマーク２１がトラックの側面に描かれているように見える。すなわち、トラックの車両の図柄を、所定の位置に、また所定の形状や大きさで、保護フィルムに施すことにより、ユーザに対して、携帯電子機器のロゴマークを運搬しているといったモチーフを醸し出している。
【実施例６】
【００２０】
図８は、実施例６の携帯電子機器用保護フィルムに施された装飾を示している。図８（１）は、保護フィルム１に施された模様である。図８（２）は、携帯電子機器２の本体に保護フィルムを取り付けて、保護フィルムを見た様子を示している。保護フィルム１に施された文字の模様３５と、ロゴマーク２１とＬＯＧＯ２２が重なると、ロゴマーク２１の下にメッセージが現れ、最後にＬＯＧＯがメッセージの一部として描かれているように見える。すなわち、保護フィルム１に施された文字を、所定の位置に、また所定の形状や大きさで、保護フィルムに施すことにより、ユーザに対して、携帯電子機器のロゴマークのメッセージといったモチーフを醸し出している。
【産業上の利用可能性】
【００２１】
本考案は、携帯電話やモバイルコンピュータの保護フィルムに有用である。
【符号の説明】
【００２２】
１    保護フィルム
２    携帯電子機器
１１  模様
１３  背面
１４  カメラレンズ用孔
１５  操作スイッチ用孔
２１  ロゴマーク
２２  ＬＯＧＯ
２３  カメラレンズ
【図１】
0003170253.tif 000003
【図２】
0003170253.tif 000004
【図３】
0003170253.tif 000005
【図４】
0003170253.tif 000006
【図５】
0003170253.tif 000007
【図６】
0003170253.tif 000008
【図７】
0003170253.tif 000009
【図８】
0003170253.tif 000010